【手続補正書】
【提出日】平成18年5月12日(2006.5.12)
【手続補正１】
【補正対象書類名】明細書
【補正対象項目名】特許請求の範囲
【補正方法】変更
【補正の内容】
【特許請求の範囲】
【請求項１】
本体ケースの底面に設けた横長の開口の近傍に、棒状体のロータの外周に設けた長手方向の一条ないし複数条の支持溝に清掃体を挿入固定した回転ロータを備えた掃除機用床ノズルにおいて、該ロータは中央部を折り返し点として略対称に中央から逆の方向に軸の周りに捩って固定し、該清掃体は全長にわたって剛性をほぼ均一にするため中央部の折り返し点付近の厚みを薄くしたことを特徴とする掃除機用床ノズルの回転ロータ。
【請求項２】
本体ケースの底面に設けた横長の開口の近傍に、棒状体のロータの外周に設けた長手方向の一条ないし複数条の支持溝に清掃体を挿入固定した回転ロータを備えた掃除機用床ノズルにおいて、該ロータは中央部を折り返し点として略対称に中央から逆の方向に軸の周りに捩って固定し、該清掃体は全長にわたって剛性をほぼ均一にするため中央部の折り返し点付近に貫通穴を設けたことを特徴とする掃除機用床ノズルの回転ロータ。
【請求項３】
本体ケースの底面に設けた横長の開口の近傍に、棒状体のロータの外周に設けた長手方向の一条ないし複数条の支持溝に清掃体を挿入固定した回転ロータを備えた掃除機用床ノズルにおいて、該ロータは中央部を折り返し点として略対称に中央から逆の方向に軸の周りに捩って固定し、該清掃体は全長にわたって剛性をほぼ均一にするため中央部の折り返し点付近に切り欠きを設けたことを特徴とする掃除機用床ノズルの回転ロータ。
【請求項４】
本体ケースの底面に設けた横長の開口の近傍に、棒状体のロータの外周に設けた長手方向の一条ないし複数条の支持溝に清掃体を挿入固定した回転ロータを備えた掃除機用床ノズルにおいて、該ロータは中央部を折り返し点として略対称に中央から逆の方向に軸の周りに捩って固定し、該清掃体は全長にわたって剛性をほぼ均一にするため、一端に略台形の突出片を有しロータの長さの略半分のものを２個用いて、中央部の折り返し点付近で該突出片をオーバーラップさせたことを特徴とする掃除機用床ノズルの回転ロータ。
【手続補正２】
【補正対象書類名】明細書
【補正対象項目名】０００６
【補正方法】変更
【補正の内容】
【０００６】
【課題を解決するための手段】本発明の掃除機用床ノズルの回転ロータは、上記の目的を達成するため次の手段を採った。すなわち、請求項１の発明は、本体ケースの底面に設けた横長の開口の近傍に、棒状体のロータの外周に設けた長手方向の一条ないし複数条の支持溝に清掃体を挿入固定した回転ロータを備えた掃除機用床ノズルにおいて、該ロータは中央部を折り返し点として略対称に中央から逆の方向に軸の周りに捩って固定し、該清掃体は全長にわたって剛性をほぼ均一にするため中央部の折り返し点付近の厚みを薄くしたことを特徴としている。
【手続補正３】
【補正対象書類名】明細書
【補正対象項目名】０００７
【補正方法】変更
【補正の内容】
【０００７】
また、請求項２の発明は、本体ケースの底面に設けた横長の開口の近傍に、棒状体のロータの外周に設けた長手方向の一条ないし複数条の支持溝に清掃体を挿入固定した回転ロータを備えた掃除機用床ノズルにおいて、該ロータは中央部を折り返し点として略対称に中央から逆の方向に軸の周りに捩って固定し、該清掃体は全長にわたって剛性をほぼ均一にするため中央部の折り返し点付近に貫通穴を設けたことを特徴としている。  また、請求項３の発明は、本体ケースの底面に設けた横長の開口の近傍に、棒状体のロータの外周に設けた長手方向の一条ないし複数条の支持溝に清掃体を挿入固定した回転ロータを備えた掃除機用床ノズルにおいて、該ロータは中央部を折り返し点として略対称に中央から逆の方向に軸の周りに捩って固定し、該清掃体は全長にわたって剛性をほぼ均一にするため中央部の折り返し点付近に切り欠きを設けたことを特徴としている。
また、請求項４の発明は、本体ケースの底面に設けた横長の開口の近傍に、棒状体のロータの外周に設けた長手方向の一条ないし複数条の支持溝に清掃体を挿入固定した回転ロータを備えた掃除機用床ノズルにおいて、該ロータは中央部を折り返し点として略対称に中央から逆の方向に軸の周りに捩って固定し、該清掃体は全長にわたって剛性をほぼ均一にするため、一端に略台形の突出片を有しロータの長さの略半分のものを２個用いて、中央部の折り返し点付近で該突出片をオーバーラップさせたことを特徴としている。
【手続補正４】
【補正対象書類名】明細書
【補正対象項目名】０００８
【補正方法】変更
【補正の内容】
【０００８】
【発明の実施の形態】請求項１の発明の実施の形態を実施の形態１、請求項２の発明の実施の形態を実施の形態２、請求項３の発明の実施の形態を実施の形態３、請求項４の発明の実施の形態を実施の形態４として以下に説明する。
まず、実施の形態１を図１〜図５に基づいて説明する。図において、２０は床ノズルであり、以下にその構成を説明する。２１は、底面に横長の開口２２を有する下ケース２３と、この下ケース２３を覆う上ケース２４より形成された本体ケースでその中央には一端が開口２２に連通し、他端は本体ケース２１の後端まで延在する中央通路２５を有している。
【手続補正５】
【補正対象書類名】明細書
【補正対象項目名】００２０
【補正方法】変更
【補正の内容】
【００２０】実施の形態４
図８に実施の形態４を示す。図において、清掃体２９はロータ２８の略半分の長さで、その一端には基部３６より外側に略台形の突出片４０を設けている。ロータ２８の支持溝３５の両側より、各々突出片４０側から清掃体２９を挿入し、ロータ２８中央部付近で突出片４０をオーバーラップさせて、清掃体２９全体として回転ロータ２７の中央部を折り返し点として略対称にすることにより、全体として均一な剛性をもたせることができる。よって、均一な清掃が可能になる。
【発明の効果】以上の説明から明らかなように、本発明の掃除機用床ノズルは次に示すような効果を得ることができる。
【手続補正６】
【補正対象書類名】明細書
【補正対象項目名】００２１
【補正方法】変更
【補正の内容】
【００２１】
請求項１の発明は、ロータは中央部を折り返し点として略対称に中央から逆の方向に軸の周りに捩って固定し、清掃体は全長にわたって剛性をほぼ均一にするため中央部の折り返し点付近の厚みを薄くしたので、回転ロータ全体にわたって清掃体が程良い強さで清掃面の塵埃をかきあげることができ、局部的にじゅうたん等を痛める恐れがなく、ばらつきのない均一な清掃が可能になる。
【手続補正７】
【補正対象書類名】明細書
【補正対象項目名】００２２
【補正方法】変更
【補正の内容】
【００２２】
請求項２の発明は、ロータは中央部を折り返し点として略対称に中央から逆の方向に軸の周りに捩って固定し、清掃体は全長にわたって剛性をほぼ均一にするため中央部の折り返し点付近に貫通穴を設けたので、清掃体が程良い強さで清掃面の塵埃をかきあげることができ、局部的にじゅうたん等を痛める恐れがなく、ばらつきのない均一な清掃が可能になる。
【手続補正８】
【補正対象書類名】明細書
【補正対象項目名】００２３
【補正方法】変更
【補正の内容】
【００２３】
請求項３の発明は、ロータは中央部を折り返し点として略対称に中央から逆の方向に軸の周りに捩って固定し、清掃体は全長にわたって剛性をほぼ均一にするため中央部の折り返し点付近に切り欠きを設けたので、清掃体が程良い強さで清掃面の塵埃をかきあげることができ、局部的にじゅうたん等を痛める恐れがなく、ばらつきのない均一な清掃が可能になる。
【手続補正９】
【補正対象書類名】明細書
【補正対象項目名】００２４
【補正方法】変更
【補正の内容】
【００２４】
請求項４の発明は、ロータは中央部を折り返し点として略対称に中央から逆の方向に軸の周りに捩って固定し、清掃体は全長にわたって剛性をほぼ均一にするため、一端に略台形の突出片を有しロータの長さの略半分のものを２個用いて、中央部の折り返し点付近で該突出片をオーバーラップさせたので、清掃体が程良い強さで清掃面の塵埃をかきあげることができ、局部的にじゅうたん等を痛める恐れがなく、ばらつきのない均一な清掃が可能になる。
【手続補正１０】
【補正対象書類名】明細書
【補正対象項目名】図面の簡単な説明
【補正方法】変更
【補正の内容】
【図面の簡単な説明】
【図１】 請求項１の発明の実施の形態を示す横断面図である。
【図２】 同、図１の上ケースの一部を断面にした正面図である。
【図３】 同、回転ロータを構成するロータの斜視図である。
【図４】 同、清掃体の斜視図である。
【図５】 同、回転ロータの斜視図である。
【図６】 請求項２の発明の実施の形態に用いる清掃体を示す斜視図である。
【図７】 請求項３の発明の実施の形態に用いる清掃体を示す斜視図である。
【図８】 請求項４の発明の実施の形態に用いる清掃体をロータに挿入している状態を示す斜視図である。